(57)【要約】【課題】登録した指紋が実際の指紋照合に使用できるか否かの不安要素を排除する。指紋照合の練習を兼ねながら指紋の登録を行う。【解決手段】照合指紋入力部１００Ｂから照合指紋を入力する。照合部１００Ｃは、照合指紋入力部１００Ｂから照合指紋が入力される毎に、その照合指紋と登録指紋候補入力部１００Ａからの登録指紋の候補とをメモリＭ１中の閾値Ｔｈを用いて照合し、その照合結果を表示部１００Ｄに表示する。登録者は、表示部１００Ｄに表示される照合結果を見て、登録指紋の候補と照合指紋とが確実に一致すると判断すると、操作部１００Ｅより処理部１００Ｆに登録指紋の確定を指示する。この指示を受けて、処理部１００Ｆは、登録指紋候補入力部１００Ａからの登録指紋の候補を登録指紋として確定し、この確定した登録指紋とその時のメモリＭ１中の閾値Ｔｈとを対として記憶部１００Ｇ内に登録する。【選択図】  図６
2006039720.tif 000002
【特許請求の範囲】
【請求項１】
登録指紋の候補を入力する第１工程と、
前記登録指紋の候補に対する登録者本人の照合指紋を入力する第２工程と、
前記照合指紋が入力される毎にその照合指紋と前記登録指紋の候補とを照合する第３工程と、
前記第３工程で得られる複数の照合結果から前記登録指紋の候補と前記照合指紋とが確実に一致するか否かを判断する第４工程と、
前記第４工程において前記登録指紋の候補と前記照合指紋とが確実に一致すると判断された場合、前記登録指紋の候補を登録指紋として確定し登録する第５工程と
を備えたことを特徴とする指紋登録方法。
【請求項２】
登録指紋の候補を入力する第１工程と、
前記登録指紋の候補に対する登録者本人の照合指紋を入力する第２工程と、
前記照合指紋が入力される毎にその照合指紋と前記登録指紋の候補とを閾値を用いて照合する第３工程と、
前記第３工程で得られる複数の照合結果から前記登録指紋の候補と前記照合指紋とが確実に一致するか否かを判断する第４工程と、
必要に応じて前記閾値を調整する第５工程と、
前記第４工程において前記登録指紋の候補と前記照合指紋とが確実に一致すると判断された場合、前記登録指紋の候補を登録指紋として確定するともに、この確定した登録指紋とその時の前記閾値とを対として登録する第６工程と
を備えたことを特徴とする指紋登録方法。
【請求項３】
請求項１又は２に記載された指紋登録方法において、
必要に応じて前記登録指紋の候補を再入力する工程を備えたことを特徴とする指紋登録方法。
【請求項４】
登録指紋の候補の入力を促す手段と、
前記登録指紋の候補に対する登録者本人の照合指紋の入力を促す手段と、
前記照合指紋が入力される毎にその照合指紋と前記登録指紋の候補とを照合する照合手段と、
前記照合手段で得られる複数の照合結果から前記登録指紋の候補と前記照合指紋とが確実に一致すると判断された場合に前記登録指紋の候補を登録指紋として確定し登録する手段と
を備えたことを特徴とする指紋登録装置。
【請求項５】
登録指紋の候補の入力を促す手段と、
前記登録指紋の候補に対する登録者本人の照合指紋の入力を促す手段と、
前記照合指紋が入力される毎にその照合指紋と前記登録指紋の候補とを閾値を用いて照合する照合手段と、
前記閾値を調整する手段と、
前記照合手段で得られる複数の照合結果から前記登録指紋の候補と前記照合指紋とが確実に一致すると判断された場合に、前記登録指紋の候補を登録指紋として確定するともに、この確定した登録指紋とその時の前記閾値と対として登録する手段と
を備えたことを特徴とする指紋登録装置。
【請求項６】
請求項４又は５に記載された指紋登録装置において、
前記登録指紋の候補の再入力を促す手段を備えたことを特徴とする指紋登録装置。
【発明の詳細な説明】
【技術分野】
【０００１】
この発明は、指紋照合装置を用いた入退室システムなどに用いて好適な指紋登録方法および指紋登録装置に関するものである。
【背景技術】
【０００２】
従来より、指紋照合装置を用いた入退室システムでは、予め登録されている指紋（登録指紋）と利用者から入力される指紋（照合指紋）との照合を行って、ドアなどの開閉を行っている。例えば、特許文献１では、登録指紋のスペクトルパターンと照合指紋のスペクトルパターンとを照合して最小相違度を求め、この最小相違度が予め定められた照合用の閾値（照合用閾値）以内である場合に照合ＯＫ（一致）と判定するようにしている。
【０００３】
この入退室システムにおいて、利用者の指紋の登録は、指紋登録装置を用いて行われる。この場合、利用者（登録者）は、管理者の指示に従って指紋登録装置の指紋採取部に指を置く。これにより、登録者の指紋が登録指紋の候補として採取される。管理者は、この登録指紋の候補の採取を複数回行い、その中から最もよいと判断した指紋を登録指紋として確定する。この確定された登録指紋は、指紋登録装置のデータベースに格納され、指紋照合装置に送られる。
【０００４】
【特許文献１】特開２００４−８６８６６号公報
【発明の開示】
【発明が解決しようとする課題】
【０００５】
しかしながら、従来の指紋登録装置では、登録した指紋が実際の指紋照合に使用できるか否かが分からないという不安要素があった。すなわち、指紋照合装置では照合用閾値を用いて指紋の照合が行われるが、指紋登録装置には管理者が確定した登録指紋が指紋照合装置での指紋照合に適した指紋であるのか否かを確認する手段がない。
【０００６】
このため、指紋照合装置で実際に指紋照合が行われて始めて、その登録指紋の良し悪しが分かるものとなり、本人の照合指紋であるにも拘わらず照合ＮＧ（不一致）と判断された場合、管理者に連絡して入室を許可してもらったり、指紋の再登録を行ったりするなど、面倒な処置が必要となる。
【０００７】
また、従来の指紋登録装置では、管理者の指示に従って指紋採取部に指を置くだけであり、指紋照合を想定した指の置き方などの練習は全く行われていなかった。このため、指紋照合装置での実際の指紋照合時にとまどいが生じ、スムーズに入退室システムの運用を開始することができなかった。
【０００８】
本発明は、このような課題を解決するためになされたもので、その目的とするところは、登録した指紋が実際の指紋照合に使用できるか否かの不安要素を排除することができる、また指紋照合の練習を兼ねながら指紋の登録を行うことができる指紋登録方法および装置を提供することにある。
【課題を解決するための手段】
【０００９】
このような目的を達成するために、第１発明（請求項１に係る発明）は、登録指紋の候補を入力する第１工程と、登録指紋の候補に対する登録者本人の照合指紋を入力する第２工程と、照合指紋が入力される毎にその照合指紋と登録指紋の候補とを照合する第３工程と、第３工程で得られる複数の照合結果から登録指紋の候補と照合指紋とが確実に一致するか否かを判断する第４工程と、第４工程において登録指紋の候補と照合指紋とが確実に一致すると判断された場合、登録指紋の候補を登録指紋として確定し登録する第５工程とを設けたものである。
【００１０】
この発明では、例えば、次のようにして登録指紋を登録する。先ず、登録者は、自分の指紋を登録指紋の候補として入力する。そして、この入力した登録指紋の候補に対し、登録者本人の照合指紋を入力する。すると、登録指紋の候補と入力された照合指紋とが照合される。ここで、登録指紋の候補と照合指紋との照合結果が「不一致」とされれば、照合指紋を再入力する。これにより、登録指紋の候補と再入力された照合指紋との照合が行われる。以下、同様の照合を繰り返し、例えば連続して３回、登録指紋の候補と照合指紋との照合結果が「一致」とされれば、登録者は、登録指紋の候補と照合指紋とが確実に一致すると判断し、登録指紋の候補を登録指紋として確定し登録する。
【００１１】
第２発明（請求項２に係る発明）は、登録指紋の候補を入力する第１工程と、登録指紋の候補に対する登録者本人の照合指紋を入力する第２工程と、照合指紋が入力される毎にその照合指紋と登録指紋の候補とを閾値を用いて照合する第３工程と、第３工程で得られる複数の照合結果から登録指紋の候補と照合指紋とが確実に一致するか否かを判断する第４工程と、必要に応じて閾値を調整する第５工程と、第４工程において登録指紋の候補と照合指紋とが確実に一致すると判断された場合、登録指紋の候補を登録指紋として確定するともに、この確定した登録指紋とその時の閾値とを対として登録する第６工程とを設けたものである。
【００１２】
この発明では、例えば、次のようにして登録指紋を登録する。先ず、登録者は、自分の指紋を登録指紋の候補として入力する。そして、この入力した登録指紋の候補に対し、登録者本人の照合指紋を入力する。すると、登録指紋の候補と入力された照合指紋とが閾値を用いて照合される。ここで、登録指紋の候補と照合指紋との照合結果が「不一致」とされれば、照合指紋を再入力する。これにより、登録指紋の候補と再入力された照合指紋との照合が行われる。以下、同様の照合を繰り返し、例えば連続して３回、登録指紋の候補と照合指紋との照合結果が「不一致」とされれば、登録者は、今の閾値では無理だと判断し、閾値を調整する。そして、再び照合を繰り返し、例えば連続して３回、登録指紋の候補と照合指紋との照合結果が「一致」とされれば、登録者は、登録指紋の候補と照合指紋とが確実に一致すると判断し、登録指紋の候補を登録指紋として確定するとともに、この確定した登録指紋とその時の閾値（調整された閾値）とを対として登録する。
【００１３】
第３発明（請求項３に係る発明）は、第１発明又は第２発明において、必要に応じて登録指紋の候補を再入力する工程を設けたものである。この発明によれば、登録者の判断により、登録指紋の候補を変えながら、登録者本人の照合指紋の入力と登録指紋の候補との照合を繰り返すことができる。
【００１４】
なお、本発明は、上述した方法を適用した装置としても構成することができる。第４発明（請求項４に係る発明）は、第１発明の方法を適用した指紋登録装置であり、第５発明（請求項５に係る発明）は、第２発明の方法を適用した指紋登録装置であり、第６発明（請求項６に係る発明）は、第３発明の方法を適用した指紋登録装置である。
【発明の効果】
【００１５】
本発明によれば、照合指紋が入力される毎にその照合指紋と登録指紋の候補とを照合し、この複数の照合結果から登録指紋の候補と照合指紋とが確実に一致するか否かを判断し、確実に一致すると判断した場合に登録指紋の候補を登録指紋として確定し登録するようにしたので、登録した登録指紋が実際の指紋照合に使用できるか否かの不安要素を排除することができるようになる。また、確実に一致すると判断されるまで、照合指紋の入力と登録指紋の候補との照合を繰り返すことにより、指紋照合の練習を兼ねながら指紋の登録を行うことができるようになる。
【発明を実施するための最良の形態】
【００１６】
以下、本発明を図面に基づいて詳細に説明する。図１は本発明の実施に用いる指紋登録装置の一例を示すブロック構成図である。同図において、１はＣＰＵ、２はＲＡＭ、３はＲＯＭ、４はハードディスクなどの記憶装置、５〜７はインターフェイス、８はタッチパネル式のディスプレイ、９は指紋採取部である。
【００１７】
この指紋登録装置１００において、ＣＰＵ１は、インターフェイス５〜７を介して与えられる各種入力情報を得て、ＲＡＭ２にアクセスしながら、ＲＯＭ３や記憶装置４に格納されたプログラムに従って動作する。記憶装置４には、本実施の形態特有のプログラムとして、指紋登録プログラムＰＧが格納されている。この指紋登録プログラムＰＧは、例えばＣＤ−ＲＯＭなどの記録媒体に記録された状態で提供され、この記録媒体から読み出されて記憶装置４にインストールされている。
【００１８】
また、記憶装置４には、後述する登録指紋の候補と照合指紋との照合に際して用いる閾値（照合用閾値）Ｔｈが書き込まれたメモリＭ１が設けられており、メモリＭ１には複数種類用意された閾値Ｔｈ１〜Ｔｈｎのうち最も小さい閾値Ｔｈ１が初期値として書き込まれている。複数種類の閾値Ｔｈ１〜Ｔｈｎについては後述する。
【００１９】
以下、図２に示すフローチャートを参照して、記憶装置４に格納された指紋登録プログラムＰＧに従うＣＰＵ１の処理動作について説明する。
ＣＰＵ１は、先ず、ディスプレイ８に画面Ｇ１（図３（ａ））を表示し、登録指紋の候補の入力を促す（ステップ２０１）。
【００２０】
この表示に従って、登録者は、指紋採取部９に指を置く。すると、ＣＰＵ１は、指紋採取部９に置かれた指の指紋を登録指紋の候補として取り込み（ステップ２０１のＹＥＳ）、記憶装置４に一時的に記憶する（ステップ２０２）。
【００２１】
そして、ＣＰＵ１は、ディスプレイ８に画面Ｇ２（図３（ｂ））を表示し、指紋照合の練習をするか否かを促す（ステップ２０３）。登録者は、練習する場合、キーＫ１をタッチし、練習しない場合、キーＫ２をタッチする。
【００２２】
キーＫ１がタッチされると（ステップ２０３のＹＥＳ）、ＣＰＵ１は、ディスプレイ８に画面Ｇ３（図３（ｃ））を表示し、照合レベルすなわちメモリＭ１中の閾値Ｔｈを調整するか否かを促す（ステップ２０４）。登録者は、閾値Ｔｈを調整する場合、キーＫ３をタッチし、調整しない場合、キーＫ４をタッチする。ここでは、閾値Ｔｈの調整は行わないものとする。
【００２３】
キーＫ４がタッチされると（ステップ２０４のＮＯ）、ＣＰＵ１は、ディスプレイ８に画面Ｇ４（図３（ｄ））を表示し、ＩＤナンバの入力を促す（ステップ２０６）。登録者のＩＤナンバが入力されると（ステップ２０６のＹＥＳ）、ＣＰＵ１は、画面Ｇ５（図３（ｅ））を表示し、照合指紋の入力を促す（ステップ２０７）。すなわち、ステップ２０１で入力した登録指紋の候補に対し、この登録指紋の候補と照合する登録者本人の照合指紋の入力を促す。
【００２４】
この指示に従って、登録者は、指紋採取部９に指を置く。すると、ＣＰＵ１は、指紋採取部９に置かれた指の指紋を取り込み（ステップ２０７のＹＥＳ）、この取り込んだ指紋（照合指紋）と記憶装置４に一時的に格納されている登録指紋の候補とをメモリＭ１中の閾値Ｔｈを用いて照合し（ステップ２０８）、その照合結果を表示する（ステップ２０９）。
【００２５】
閾値Ｔｈは、登録指紋の候補と照合指紋との同一性を判定するための判定基準であり、閾値Ｔｈが小さいほど厳しく判定される。この例において、閾値Ｔｈの初期値は、複数種類用意された閾値Ｔｈ１〜Ｔｈｎのうち最もその値が小さいＴｈ１とされている。閾値ＴｈとしてＴｈ１を使用することにより「厳密」な照合（差異が殆どなくほゞ同一）が行われる。
【００２６】
なお、この実施の形態において、Ｔｈ２はＴｈ１よりもその値がやや大きく、９５％以上の確率で照合できるような値として定められている。また、Ｔｈ３はＴｈ２よりもその値がやや大きく、９０％以上の確率で照合できるような値として定められている。閾値ＴｈとしてＴｈ２を使用することにより「確実」な照合が行われ、閾値ＴｈとしてＴｈ３を使用することにより「普通」の照合が行われる。
【００２７】
ＣＰＵ１は、照合ＯＫ（一致）と判定した場合、ディスプレイ８に画面Ｇ６（図４（ａ））を表示し、照合ＮＧ（不一致）と判定した場合、ディスプレイ８に画面Ｇ７（図４（ｂ））を表示する。画面Ｇ６には、照合ＯＫである旨の照合結果と合わせて、練習を継続するか否かの選択キーＫ５およびＫ６が表示される。画面Ｇ７には、照合ＮＧである旨の照合結果と合わせて、練習を継続するか否かの選択キーＫ７およびＫ８が表示される。
【００２８】
登録者は、表示される照合結果から指紋照合の確実性を判断し、一致しない虞れがあると判断すれば、練習を継続する。すなわち、照合ＮＧの画面Ｇ７が表示されれば、直ちに選択キーＫ７をタッチして練習の継続を指示するが、照合ＯＫの画面Ｇ６が表示されても、１回や２回の照合ＯＫでは不安であり、一致しない虞れもあると判断し、選択キーＫ５をタッチして練習の継続を指示する。
【００２９】
〔シーン１：１回目は照合ＮＧ、その後、３回連続して照合ＯＫ〕
登録者は、１回目の照合で照合ＮＧの画面Ｇ７が表示されると、選択キーＫ７をタッチし、練習の継続を指示する。選択キーＫ７がタッチされると（ステップ２１０のＹＥＳ）、ＣＰＵ１は、ステップ２０４へ戻り、画面Ｇ３を再度表示する。
【００３０】
登録者は、１回目の照合と同様にして、画面Ｇ３でのキーＫ４のタッチ（閾値Ｔｈはそのまま）、画面Ｇ４でのＩＤナンバの入力、画面Ｇ５での照合指紋の再入力を行う。ここで、登録者は、指紋採取部９への指の置き方を少し変えるなど、照合ＯＫの結果が得られるような工夫をする。
【００３１】
照合指紋が再入力されると、ＣＰＵ１は、その再入力された照合指紋と記憶装置４に一時的に格納されている登録指紋の候補とを閾値Ｔｈ（＝Ｔｈ１）を用いて照合し（ステップ２０８）、その照合結果（２回目の照合結果）を表示する（ステップ２０９）。ここで、照合ＯＫの画面Ｇ６が表示されたとする。しかし、１回の照合ＯＫでは、確実性がなく、不安である。そこで、登録者は、画面Ｇ６において、選択キーＫ５をタッチし、練習を継続する。
【００３２】
以下同様にして、登録者は、照合指紋の入力と登録指紋の候補との照合を繰り返す。そして、連続して３回、登録指紋の候補と照合指紋との照合結果が「一致（照合ＯＫ）」とされれば、登録者は、登録指紋の候補と照合指紋とが確実に一致すると判断する。そして、画面Ｇ６において、選択キーＫ６をタッチし、練習を終了する。
【００３３】
選択キーＫ６がタッチされると（ステップ２１０のＮＯ）、ＣＰＵ１は、ディスプレイ８に画面Ｇ８（図３（ｆ））を表示し、登録指紋の候補を再取得するか否かを促す（ステップ２１１）。画面Ｇ８には登録指紋の候補を再取得するか否かの選択キーＫ９とＫ１０が表示される。この場合、登録者は、登録指紋の候補の再取得の必要はないと判断し、選択キーＫ１０をタッチする。
【００３４】
すると、ＣＰＵ１は、記憶装置４に記憶されている登録指紋の候補を登録指紋として確定し（ステップ２１２）、この確定した登録指紋とその時のメモリＭ１中の閾値Ｔｈ（＝Ｔｈ１）とを対とし登録者のＩＤナンバと対応づけて記憶装置４内に登録し（ステップ２１３）、登録終了を知らせる画面Ｇ９（図３（ｇ））を表示する（ステップ２１４）。
【００３５】
〔シーン２：３回連続して照合ＮＧとなった場合（閾値Ｔｈの調整）〕
上述したシーン１では、１回目が照合ＮＧとなり、その後、３回連続して照合ＯＫとなった場合について説明したが、例えば、３回連続して照合ＮＧとなったような場合、閾値Ｔｈの調整を行うことが考えられる。
【００３６】
この場合、登録者は、ステップ２０４で表示される画面Ｇ３中のキーＫ３をタッチし、閾値Ｔｈの調整を指示する。キーＫ３がタッチされると（ステップ２０４のＹＥＳ）、ＣＰＵ１は、ディスプレイ８に画面Ｇ１０（図５参照）を表示し、照合レベルの選択すなわち閾値Ｔｈの選択を促す（ステップ２０５）。画面Ｇ１０には、照合レベルの選択リストＬＳＴが表示され、この選択リストＬＳＴから所望の照合レベルを選択することができる。
【００３７】
この場合、閾値Ｔｈは初期値Ｔｈ１（最小値）とされており、現在の照合レベルは「厳密」となっている。そこで、登録者は、例えば照合レベルを１段階落として、「確実」とする。照合レベルを「確実」とすると、メモリＭ１中の閾値ＴｈがＴｈ２とされる。これにより、以降のステップ２０６〜２０９の照合練習では、Ｔｈ１ではなく、Ｔｈ２が閾値Ｔｈとして使用される。
【００３８】
登録者は、このようにして閾値Ｔｈを変更した後、照合指紋の入力と登録指紋の候補との照合を繰り返す。そして、連続して３回、登録指紋の候補と照合指紋との照合結果が「一致（照合ＯＫ）」とされれば、登録指紋の候補と照合指紋とが確実に一致すると判断する。そして、画面Ｇ６中の選択キーＫ６をタッチし、練習を終了する。
【００３９】
選択キーＫ６がタッチされると（ステップ２１０のＮＯ）、ＣＰＵ１は、ディスプレイ８に画面Ｇ８（図３（ｆ））を表示し、登録指紋の候補を再取得するか否かを促す（ステップ２１１）。この場合、登録者は、登録指紋の候補の再取得の必要はないと判断し、選択キーＫ１０をタッチする。
【００４０】
すると、ＣＰＵ１は、記憶装置４に記憶されている登録指紋の候補を登録指紋として確定し（ステップ２１２）、この確定した登録指紋とその時のメモリＭ１中の閾値Ｔｈ（＝Ｔｈ２）とを対とし登録者のＩＤナンバと対応づけて記憶装置４内に登録し（ステップ２１３）、登録終了を知らせる画面Ｇ９（図３（ｇ））を表示する（ステップ２１４）。
【００４１】
〔シーン３：３回連続して照合ＮＧとなった場合（登録指紋の候補の変更）〕
上述したシーン２では、３回連続して照合ＮＧとなった場合、閾値Ｔｈの調整を行うようにしたが、閾値Ｔｈの調整ではなく、登録指紋の候補を変更することも考えられる。この場合、登録者は、画面Ｇ７中の選択キーＫ８をタッチして、練習を中断する。
【００４２】
選択キーＫ８がタッチされると（ステップ２１０のＮＯ）、ＣＰＵ１は、ディスプレイ８に画面Ｇ８を表示し、登録指紋の候補を再取得するか否かを促す（ステップ２１１）。この画面Ｇ８において、登録者は、選択キーＫ９をタッチする。すると、ＣＰＵ１は、ディスプレイ８に画面Ｇ１を表示し（ステップ２１１のＹＥＳ）、登録指紋の候補の再入力を促す（ステップ２０１）。
【００４３】
上述した「シーン１」、「シーン２」，「シーン３」はあくまでも登録者による操作の一例であり、他にも色々な操作例が考えられる。例えば、３回連続して照合ＯＫの結果が得られた場合ではなく、４回連続して照合ＯＫの結果が得られるなど、一定以上の頻度で一致するという結果が得られる場合に、登録指紋の候補と照合指紋とが確実に一致すると判断するようにしてもよい。また、照合ＯＫの回数については特に規定せずに、登録者の判断に任せるようにしてもよい。また、登録者の判断に任せず、判断基準値をプログラムに登録しておき、装置側で判断させるようにしてもよい。
【００４４】
また、１回の照合ＮＧで、すぐに閾値Ｔｈを調整したり、登録指紋の候補を再取得するようにしたりしてもよい。また、閾値Ｔｈを「厳密」から「確実」、「確実」から「普通」と下げて行き、「普通」まで下げてもまだ照合ＮＧとなるような場合に、登録指紋の候補を再取得するようにしてもよい。また、１回目の照合から閾値Ｔｈを変更するなどとしてもよい。
【００４５】
また、閾値Ｔｈの初期値をＴｈ３（普通）とし、３回連続して照合ＯＫの結果が得られたら閾値ＴｈをＴｈ２（確実）に上げ、Ｔｈ２で３回連続して照合ＯＫの結果が得られたら閾値ＴｈをＴｈ３（厳密）に上げるというようにして、登録指紋の候補と照合指紋とが確実に一致すると判断される最も厳しい閾値Ｔｈを見つけ出し、その時の登録指紋の候補を登録指紋として登録するようにしてもよい。
【００４６】
また、この実施の形態において、記憶装置４にＩＤナンバと対応づけて記憶された登録指紋と閾値Ｔｈは、通信回線Ｌを介して指紋照合装置１０１へ送られる。指紋照合装置１０１では、利用者から照合指紋が入力されると、その利用者の登録指紋とこの登録指紋と対として記憶されている閾値Ｔｈとを用いて、登録指紋と照合指紋との照合を行う。
【００４７】
以上の説明から分かるように、本実施の形態によれば、確実に一致すると判断される登録指紋の候補が登録指紋として登録されるので、登録した登録指紋が実際の指紋照合に使用できるか否かの不安要素を排除することができるようになる。また、確実に一致すると判断されるまで、照合指紋の入力と登録指紋の候補との照合を繰り返すことにより、指紋照合の練習を兼ねながら指紋の登録を行うことができるようになる。また、指紋登録装置と現場に設置される指紋照合装置とを同じとすれば、指紋登録装置で指紋を登録する際に現場での指紋照合の練習を兼ねることができるようになる。
【００４８】
参考として図６にこの指紋登録装置１００の機能ブロック図を示す。この指紋登録装置１００は、登録指紋の候補を入力する登録指紋候補入力部１００Ａと、登録者本人の照合指紋を入力する照合指紋入力部１００Ｂと、登録指紋候補入力部１００Ａからの登録指紋の候補と照合指紋入力部１００Ｂからの照合指紋をメモリＭ１中の閾値Ｔｈを用いて照合する照合部１００Ｃと、照合部１００Ｃでの照合結果を表示する照合結果表示部１００Ｄと、操作部１００Ｅと、処理部１００Ｆと、記憶部１００Ｇとを備えている。
【００４９】
登録者は、照合指紋入力部１００Ｂから照合指紋を入力する。照合部１００Ｃは、照合指紋入力部１００Ｂから照合指紋が入力される毎に、その照合指紋と登録指紋候補入力部１００Ａからの登録指紋の候補とをメモリＭ１中の閾値Ｔｈを用いて照合し、その照合結果を表示部１００Ｄに表示する。登録者は、表示部１００Ｄに表示される照合結果を見て、登録指紋の候補と照合指紋とが確実に一致すると判断すると、操作部１００Ｅより処理部１００Ｆに登録指紋の確定を指示する。この指示を受けて、処理部１００Ｆは、登録指紋候補入力部１００Ａからの登録指紋の候補を登録指紋として確定し、この確定した登録指紋とその時のメモリＭ１中の閾値Ｔｈとを対として記憶部１００Ｇ内に登録する。
【００５０】
なお、図６に示した機能ブロック図において、照合指紋入力部１００Ｂの前段に指紋選択部を設け、照合指紋の候補として採取した複数の指紋の中から１つを選択し、その選択した指紋を照合指紋入力部１００Ｂへ照合指紋として送るようにしてもよい。
【図面の簡単な説明】
【００５１】
【図１】本発明の実施に用いる指紋登録装置の一例を示すブロック構成図である。
【図２】この指紋登録装置のＣＰＵが実行する指紋登録プログラムに従う処理動作を示すフローチャートである。
【図３】この指紋登録装置のディスプレイに表示される画面を例示する図である。
【図４】この指紋登録装置のディスプレイに表示される照合ＯＫおよび照合ＮＧの場合の画面を例示する図である。
【図５】この指紋登録装置のディスプレイに表示される照合レベルの選択画面を例示する図である。
【図６】この指紋登録装置の機能ブロック図である。
【符号の説明】
【００５２】
１…ＣＰＵ、２…ＲＡＭ、３…ＲＯＭ、４…記憶装置、５〜７…インターフェイス、８…タッチパネル式のディスプレイ、９…指紋採取部、ＰＧ…指紋登録プログラム、Ｔｈ，Ｔｈ１〜Ｔｈｎ…閾値、１００…指紋登録装置、１００Ａ…登録指紋候補入力部、１００Ｂ…照合指紋入力部、１００Ｃ…照合部、１００Ｄ…表示部、１００Ｅ…操作部、１００Ｆ…処理部、１００Ｇ…記憶部。
【図１】
2006039720.tif 000003
【図２】
2006039720.tif 000004
【図３】
2006039720.tif 000005
【図４】
2006039720.tif 000006
【図５】
2006039720.tif 000007
【図６】
2006039720.tif 000008